(57)【要約】【課題】複数のサムネイル画像を表示するインデックス画面において、ユーザが選択したサムネイル画像の拡大率を柔軟に変更することを可能にする技術を提供する。【解決手段】複数の画像データそれぞれのためのサムネイル画像を生成する生成手段と、前記生成手段で生成された複数のサムネイル画像を表示する表示手段と、前記複数のサムネイル画像のうちの１つを選択する選択手段と、前記選択手段で選択中のサムネイル画像のリサイズ指示を受信する受信手段と、前記リサイズ指示に従って、前記選択手段で選択中のサムネイル画像の倍率を変更して表示するように前記表示手段を制御する第１制御手段と、を備えることを特徴とする表示制御装置を提供する。【選択図】図３
2011180288.tif 000002
【特許請求の範囲】
【請求項１】
複数の画像データそれぞれのためのサムネイル画像を生成する生成手段と、
前記生成手段で生成された複数のサムネイル画像を表示する表示手段と、
前記複数のサムネイル画像のうちの１つを選択する選択手段と、
前記選択手段で選択中のサムネイル画像のリサイズ指示を受信する受信手段と、
前記リサイズ指示に従って、前記選択手段で選択中のサムネイル画像の倍率を変更して表示するように前記表示手段を制御する第１制御手段と、
を備えることを特徴とする表示制御装置。
【請求項２】
ユーザからの指示に応えて、前記選択手段で選択中のサムネイル画像の倍率を記憶する記憶手段を更に備え、
前記選択手段で選択中のサムネイル画像が変更された場合、前記表示手段は、当該変更後に前記選択手段で選択中のサムネイル画像を、前記記憶手段で記憶された倍率で表示する
ことを特徴とする請求項１に記載の表示制御装置。
【請求項３】
ユーザからの指示に応えて、前記選択手段で選択中のサムネイル画像を含む複数のサムネイル画像を、前記選択手段で選択中のサムネイル画像の倍率で表示するように前記表示手段を制御する第２制御手段を更に備えることを特徴とする請求項１又は２に記載の表示制御装置。
【請求項４】
表示制御装置の制御方法であって、
生成手段が、複数の画像データそれぞれのためのサムネイル画像を生成する生成工程と、
表示手段が、前記生成工程で生成された複数のサムネイル画像を表示する表示工程と、
選択手段が、前記複数のサムネイル画像のうちの１つを選択する選択工程と、
受信手段が、前記選択工程で選択中のサムネイル画像のリサイズ指示を受信する受信工程と、
第１制御手段が、前記リサイズ指示に従って、前記選択工程で選択中のサムネイル画像の倍率を変更して表示するように前記表示工程を制御する第１制御工程と、
を備えることを特徴とする制御方法。
【請求項５】
コンピュータに、請求項４に記載の制御方法の各工程を実行させるためのプログラム。
【請求項６】
請求項５に記載のプログラムを記録したコンピュータ読み取り可能な記録媒体。
【発明の詳細な説明】
【技術分野】
【０００１】
本発明は、表示制御装置、及びその制御方法に関する。
【背景技術】
【０００２】
デジタルスチルカメラ等の画像記録再生装置は一般的に、記録媒体中に格納されている画像をユーザに提示するために、インデックス画面と呼ばれる画面を表示する機能を備える。インデックス画面には、複数のサムネイル画像が同時に一覧表示される。インデックス画面は、マルチ表示画面と呼ばれることもある。デジタルカメラは一般的に、インデックス画面に６枚〜１２枚程度のサムネイル画像を表示させるが、１００枚程度の多数のサムネイル画像を表示させるデジタルカメラも知られている。以下、多数のサムネイル画像を表示するインデックス画面を、マイクロインデックスと呼ぶ。
【０００３】
マイクロインデックスを利用すると、ユーザは多数のサムネイル画像を一度に見ることができるため、記録された画像を容易に俯瞰することができる。しかしながら、マイクロインデックスをデジタルカメラのディスプレイに表示すると、個々のサムネイル画像のサイズはかなり小さくなるため、個々の画像を判別することが困難になる。
【０００４】
サムネイル画像の判別を容易にする技術として、インデックス画面において選択されたサムネイル画像を予め定められた拡大率で拡大してポップアップ表示することが知られている（特許文献１参照）。また、インデックス画面において複数のサムネイル画像をユーザに選択させ、選択されたサムネイル画像が一画面に収まるようにインデックス画面を再生性することも知られている（特許文献２参照）。
【先行技術文献】
【特許文献】
【０００５】
【特許文献１】特開２００７−１８０６３８号公報
【特許文献２】特開２００５−２７５０３４号公報
【発明の概要】
【発明が解決しようとする課題】
【０００６】
サムネイル画像を拡大する場合、拡大率が大きいほどユーザは個々のサムネイル画像を容易に判別することができるが、拡大されたサムネイル画像によって他のサムネイル画像が隠されるため、画像の俯瞰という点でのインデックス画面の利点が損なわれる。また、サムネイル画像の判別に適した拡大率は、画像の内容に応じて異なる。例えば、連写モードで撮影された複数の画像のサムネイル画像が並んでいる場合、個々の画像を容易に見分けるためには、拡大率を更に大きくする必要がある。
【０００７】
しかしながら、特許文献１の技術では、ユーザは拡大率を変更することができない。また、特許文献２の技術では、選択されたサムネイル画像が拡大されるが、拡大率は選択されたサムネイル画像の数に応じて決定されるため柔軟性に欠ける。その上、選択されたサムネイル画像以外は表示されなくなるため、画像の俯瞰という点でのインデックス画面の利点が損なわれる。
【０００８】
本発明はこのような状況に鑑みてなされたものであり、複数のサムネイル画像を表示するインデックス画面において、ユーザが選択したサムネイル画像の拡大率を柔軟に変更することを可能にする技術を提供することを目的とする。
【課題を解決するための手段】
【０００９】
上記課題を解決するために、第１の本発明は、複数の画像データそれぞれのためのサムネイル画像を生成する生成手段と、前記生成手段で生成された複数のサムネイル画像を表示する表示手段と、前記複数のサムネイル画像のうちの１つを選択する選択手段と、前記選択手段で選択中のサムネイル画像のリサイズ指示を受信する受信手段と、前記リサイズ指示に従って、前記選択手段で選択中のサムネイル画像の倍率を変更して表示するように前記表示手段を制御する第１制御手段と、を備えることを特徴とする表示制御装置を提供する。
【００１０】
なお、その他の本発明の特徴は、添付図面及び以下の発明を実施するための形態における記載によって更に明らかになるものである。
【発明の効果】
【００１１】
以上の構成により、本発明によれば、複数のサムネイル画像を表示するインデックス画面において、ユーザが選択したサムネイル画像の拡大率を柔軟に変更することが可能となる。
【図面の簡単な説明】
【００１２】
【図１】第１の実施形態に係るデジタルカメラ１００の構成を示すブロック図
【図２】デジタルカメラ１００の外観の一例を示す図
【図３】デジタルカメラ１００が実行する、マイクロインデックス表示における表示制御処理のフローチャート
【図４】マイクロインデックス表示におけるカーソルの移動を示す図
【図５】カーソルの移動によりマイクロインデックス表示が更新される様子を示す図
【図６】選択中のサムネイル画像の拡大を示す図
【図７】選択中のサムネイル画像の縮小を示す図
【図８】選択中のサムネイル画像が全画面表示まで拡大される様子を示す図
【図９】選択中のサムネイル画像の表示サイズを全てのサムネイル画像に適用した様子を示す図
【発明を実施するための形態】
【００１３】
［第１の実施形態］
本発明の表示制御装置をデジタルカメラに適用した実施形態について説明する。図１は、第１の実施形態に係るデジタルカメラ１００の構成を示すブロック図である。デジタルカメラ１００は、静止画情報及び動画情報を撮影可能であり、静止画情報の圧縮符号化形式には例えばＪＰＥＧを、動画情報の圧縮符号化形式には例えばＭＰＥＧを用いる。また、デジタルカメラ１００は、多数（本実施形態では、１００枚）のサムネイル画像を一度に表示するインデックス画面であるマイクロインデックスを表示可能である。以下の説明において、マイクロインデックスを表示することを、「マイクロインデックス表示」と呼ぶ。
【００１４】
図１に示すように、デジタルカメラ１００は、焦点距離や絞りの状態を変更可能なレンズ１０１と、レンズ１０１により結像した光を電気信号に変換する撮像素子１０２（例えば、ＣＣＤ(Charge Coupled Device)）とを備える。画像処理部１０３は、入力画像信号に対しホワイトバランスやγ補正等の所定の画像処理を行い、非圧縮画像データを生成し、ＲＡＭ１０６に一時的に蓄積する。表示部１０４は、撮影時の電子ビューファインダーとしての機能を有する。また、ユーザがデジタルカメラ１００を操作するための、操作画面を表示する機能も有する。
【００１５】
制御部１０５は、デジタルカメラ１００全体の制御を担う。制御部１０５は、操作キー１１３の操作キーを介したユーザからの指示に応じて、デジタルカメラ１００全体を制御する。制御部１０５は、ＲＯＭ１１４に格納されたプログラムを読み出し、ＲＡＭ１０６に展開して実行することにより、デジタルカメラ１００の各種処理を実現する。
【００１６】
ＲＡＭ１０６は、非圧縮画像、ＭＰＥＧ動画像、ＪＰＥＧ静止画像、及びサムネイル画像などのデータのバッファとして使用される。ＲＡＭ１０６はまた、制御部１０５のワークメモリとして使用され、更に、サムネイル画像の倍率（詳細は後述）を記憶するためにも使用される。
【００１７】
静止画符号復号化部１０７は、ＲＡＭ１０６に格納された非圧縮画像データをＪＰＥＧに符号化し、ＲＡＭ１０６に書き戻す機能と、ＲＡＭ１０６に格納されたＪＰＥＧ画像データを非圧縮画像データに復号し、ＲＡＭ１０６に書き戻す機能とを有する。動画符号復号化部１０８は、ＲＡＭ１０６に格納された非圧縮画像データを、制御部１０５から指示されたビットレートに合わせてＭＰＥＧに圧縮符号化してＲＡＭ１０６に書き戻す機能を有する。動画符号復号化部１０８はまた、ＲＡＭ１０６に格納されたＭＰＥＧ画像データを非圧縮画像データに復号し、ＲＡＭ１０６に書き戻す機能を有する。
【００１８】
記録媒体制御部１０９は、コンピュータ読み取り可能な記録媒体１１０（例えば、ＳＤメモリカード）に対するデータの読み書きを制御する。本実施形態では、記録媒体１１０には、１００枚以上の画像データが格納されているものとする。グラフィック処理部１１２は、サムネイル画像の生成、及び画像の拡大縮小（リサイズ）を行う。操作キー１１３は、デジタルカメラ１００を操作するための、シャッターボタン及びズームレバーを含む、ユーザインタフェースである。
【００１９】
データバス１１１は、制御部１０５から、各機能ブロックへのアクセス、及び、ＲＡＭ１０６を介しての各機能ブロック間のデータ転送等に使用される。ＲＯＭ１１４は、制御部１０５が実行するプログラム等の情報が格納された不揮発性の記録媒体である。
【００２０】
図２は、デジタルカメラ１００の外観の一例を示す図である。ディスプレイ２０１は、図１に示す表示部１０４に含まれる。図２の例では、マイクロインデックス表示が行われており、１枚目から１００枚目までの画像のサムネイル画像が表示部１０４に表示されている。
【００２１】
十字キー２０２は、操作キー１１３に含まれる。十字キー２０２は、マイクロインデックス表示の際に、ユーザが所望のサムネイル画像を選択するためのカーソルを移動するために使用される。決定ボタン２０３も、操作キー１１３に含まれる。決定ボタン２０３は、マイクロインデックス表示の際に、選択中のサムネイル画像の選択を確定するために使用される。ズームレバー２０４も、操作キー１１３に含まれる。ズームレバー２０４は、画像記録時は、レンズ１０１の倍率の変更（光学ズーム）に使用され、マイクロインデックス表示の際は、選択されたサムネイル画像の拡大縮小（電子ズーム）に使用される。
【００２２】
シャッターボタン２０５も、操作キー１１３に含まれる。画像記録の際に、シャッターボタン２０５は、半押し状態になると制御部１０５に対してフォーカスの決定を指示し、全押し状態になると制御部１０５に対して画像の記録を指示する。また、マイクロインデックス表示の際は、シャッターボタン２０５は、半押し状態になると制御部１０５に対してサムネイル画像の倍率（表示倍率）の記憶を指示し、全押し状態になると制御部１０５に対して全サムネイル画像の倍率の変更を指示する。
【００２３】
モード切替スイッチ２０６も、操作キー１１３に含まれる。モード切替スイッチ２０６は、デジタルカメラの動作モードを、静止画記録モード（ＰＨＯＴＯ）、動画記録モード（ＭＯＶＩＥ）、及び画像再生モード（ＰＢ）の間で切り替えるために使用される。
【００２４】
次に、図１及び図２を参照して、マイクロインデックス表示処理について説明する。図２に示すようにモード切替スイッチ２０６が「ＰＢ」にセットされると、デジタルカメラ１００は画像再生モードに移行する。すると、制御部１０５は、記録媒体制御部１０９に対して、記録媒体１１０から画像データを読み込むように指示し、読み込まれた画像データをＲＡＭ１０６に格納する。なお、画像データが動画像データ（ＭＰＥＧデータ）である場合は、制御部１０５は、ＭＥＰＧデータ全体ではなく最初のＧＯＰのみを読み込んでＲＡＭ１０６に格納する。
【００２５】
次に、静止画符号復号化部１０７が、ＲＡＭ１０６に格納された画像データのうちＪＰＥＧデータを復号する。動画符号復号化部１０８が、ＲＡＭ１０６に格納された画像データのうちＭＰＥＧデータを復号する。
【００２６】
次に、グラフィック処理部１１２が、復号された画像データからそれぞれのためのサムネイル画像を生成する。表示部１０４は、生成された複数のサムネイル画像をディスプレイ２０１に表示する。これにより、マイクロインデックス表示が実現する。グラフィック処理部１１２は、カーソル２０７を生成して、選択対象のサムネイル画像に重畳して表示する。
【００２７】
サムネイル画像のサイズは、予めマイクロインデックス表示用に定められたサイズである。但し、カーソル２０７により選択中のサムネイル画像のサイズは、他のサムネイル画像のサイズと異なる場合もある（詳細は後述）。この場合、グラフィック処理部１１２が異なるサイズのサムネイル画像を生成してもよいし、表示部１０４がサムネイル画像を表示する際にリサイズを行ってもよい。
【００２８】
次に、図３を参照して、デジタルカメラ１００が実行する、マイクロインデックス表示における表示制御処理を説明する。モード切替スイッチ２０６が「ＰＢ」にセットされると、Ｓ４０１で、制御部１０５は本フローチャートの表示制御処理を開始する。
【００２９】
Ｓ３０２で、制御部１０５は、上述したマイクロインデックス表示処理を行う。この際に、制御部１０５は１画面に表示されるサムネイル画像の最後を選択し、グラフィック処理部１１２は、選択中のサムネイル画像（以下、「選択サムネイル画像」と呼ぶ）に重畳してカーソル２０７を表示する（図２参照）。また、制御部１０５は、選択サムネイル画像の表示サイズを、選択サムネイル画像のサイズ情報の初期値としてＲＡＭ１０６に記憶する。本実施形態では、サイズ情報の初期値は、マイクロインデックス表示で表示された他のサムネイル画像の表示サイズと同じサイズであるものとする。
【００３０】
Ｓ３０３で、制御部１０５は、十字キー２０２が操作されたか否か（即ち、カーソルの移動が指示されたか否か）を判定する。操作された場合、処理はＳ３０４に進み、そうでなければ、処理はＳ３０７に進む。Ｓ３０４で、制御部１０５は、移動先のカーソルの位置がディスプレイ２０１の表示範囲内であるか否かを判定する。表示範囲内であれば処理はＳ３０５に進み、そうでなければ処理はＳ３０６に進む。
【００３１】
Ｓ３０６で、制御部１０５は、別のサムネイル画像を選択することにより、選択中のサムネイル画像を変更する。また、グラフィック処理部１１２は、新たに選択されたサムネイル画像にカーソルを重畳して表示する。例えば、図４に示すように、カーソルが位置４０１に存在する時に十字キー２０２の上が操作されると、カーソルは上に移動する。図４では、十字キー２０２の上が３回操作された場合を例示しており、この場合、カーソルは位置４０２へ移動する。また、表示部１０４は、新たに選択されたサムネイル画像を、ＲＡＭ１０６に記憶されたサイズ情報に対応する倍率で表示する。サイズ情報は、後述するＳ３１１の処理により初期値から変更されている可能性がある。図４では、全てのサムネイル画像が同じサイズで表示されているが、サイズ情報に対応する倍率が変更されている場合、選択サムネイル画像は他のサムネイル画像と異なるサイズで表示される。
【００３２】
カーソルが表示範囲外へ移動した場合、Ｓ３０６で、制御部１０５は、次の１００枚の画像によりマイクロインデックス表示を更新する（図５参照）。この場合も、サイズ情報に対応する倍率が変更されている場合、選択サムネイル画像は他のサムネイル画像と異なるサイズで表示される。
【００３３】
Ｓ３０７で、制御部１０５は、ズームレバー２０４が操作されたか否か（即ち、選択中のサムネイル画像のリサイズ指示を受信したか否か）を判定する。操作された場合、処理はＳ３０８に進み、そうでない場合、処理はＳ３１０に進む。Ｓ３０８で、制御部１０５（第１制御手段）は、リサイズ指示に従って、選択中のサムネイル画像の倍率を変更して表示するように表示部１０４を制御する。具体的には、図６に示すようにズームレバー２０４が右方向へ操作された場合、リサイズ指示はサムネイル画像の拡大を指示し、図７に示すようにズームレバー２０４が左方向へ操作された場合、リサイズ指示はサムネイル画像の縮小を指示する。制御部１０５は、リサイズ後の倍率を算出し、この倍率をグラフィック処理部１１２に通知する。グラフィック処理部１１２は、サムネイル画像を指示された倍率にリサイズする（前述の通り、表示部１０４がリサイズを行ってもよい）。選択サムネイル画像の倍率は、ズームレバー２０４に対する操作継続時間又は操作回数に応じて、多段階に変化する。即ち、ユーザは選択サムネイル画像の表示サイズをズームレバー２０４への操作によって任意のサイズに柔軟に変更することができる。
【００３４】
Ｓ３０９で、制御部１０５は、選択サムネイル画像が全画面表示まで拡大されたか否かを判定する。全画面表示まで拡大された場合（図８参照）、Ｓ３１７においてマイクロインデックス表示が終了し、本フローチャートの処理が終了する。全画面表示まで拡大されたか否かの判定は、例えば、サムネイル画像の一辺の長さがディスプレイ２０１の対応する辺の長さと一致したか否かを判定することにより行われる。
【００３５】
Ｓ３１０で、制御部１０５は、シャッターボタン２０５が半押しされたか否かを判定する。半押しされた場合、処理はＳ３１１に進み、そうでない場合、処理はＳ３１２に進む。Ｓ３１１で、制御部１０５は、シャッターボタン２０５の半押しというユーザからの指示に応えて、選択中のサムネイル画像のサイズ情報（倍率）をＲＡＭ１０６に記憶する（Ｓ３０２で記憶したサイズ情報を更新する）。これにより、選択サムネイル画像を別のサムネイル画像に変更した（切り替えた）際にも、前述したＳ３０５又はＳ３０６の処理によって、変更後の選択サムネイル画像が、記憶された倍率で表示される。即ち、ユーザはズームレバー２０４の操作によって選択サムネイル画像を自分の見やすい任意のサイズに調整することができる。そして、ユーザは、調整後にシャッターボタン２０５を半押しすることによって、選択サムネイル画像を別のサムネイル画像に切り替えた場合にも、ズームレバー２０４を再操作せずに、調整済みの倍率で選択サムネイル画像を見ることができる。従って、個々のユーザにとって見やすいサイズ（倍率）で選択サムネイル画像を表示することが可能となる。一方、ズームレバー２０４の操作による選択サムネイル画像の表示サイズの調整が一時的な目的であった場合には、ユーザはシャッターボタン２０５を半押ししなければよい。そうすればそこで調整した表示サイズが、選択サムネイル画像を切り替えた後に反映されることはない。
【００３６】
Ｓ３１２で、制御部１０５は、シャッターボタン２０５が全押しされたか否かを判定する。全押しされた場合、処理はＳ３１３に進み、そうでない場合、処理はＳ３１４に進む。Ｓ３１３で、制御部１０５（第２制御手段）は、シャッターボタン２０５の全押しというユーザからの指示に応えて、ＲＡＭ１０６に記憶されたサイズ情報に対応する倍率を、選択サムネイル画像以外の他のサムネイル画像にも適用する。他のサムネイル画像の表示サイズを変更すると、それに伴ってマイクロインデックス表示において１画面に表示できるサムネイル画像の数も変わる。従って、シャッターボタン２０５が全押しされると、制御部１０５は、ＲＡＭ１０６に記憶しているサイズ情報を読み出する。そして、制御部１０５は、１画面に表示されるサムネイル画像を全てそのサイズ情報が示す表示サイズ（倍率）で表示した場合に、１画面に何枚のサムネイル画像を表示できるかを算出する。そして、制御部１０５は、現在の選択サムネイル画像が含まれるように、算出された枚数分のサムネイル画像を、ＲＡＭ１０６に記憶されたサイズ情報に対応する倍率で表示するように表示部１０４を制御する。例えば、図６に示す拡大後の状態でシャッターボタン２０５が半押しされ、更に全押しされると、マイクロインデックス表示は図９に示すように更新される。このように、ユーザは、シャッターボタン２０５を全押しすることにより、ズームレバー２０４の操作による調整後の表示サイズ（倍率）を、全てのサムネイル画像に反映させることができる。即ち、サムネイル画像１枚あたりの表示サイズを、ユーザによる調整後の表示サイズとしたマイクロインデックス表示を実現することができる。
【００３７】
なお、Ｓ３１３においては、ＲＡＭ１０６に記憶されたサイズ情報に対応する倍率ではなく、一時的に調整された選択サムネイル画像の倍率が使用されてもよい。即ち、Ｓ３１３の処理を実装する上では、シャッターボタン２０５の半押し（即ち、調整後のサイズ情報の記憶）は必須ではない。
【００３８】
Ｓ３１４で、制御部１０５は、決定ボタン２０３が押下されたか否かを判定する。押下された場合、処理はＳ３１５に進み、そうでない場合、処理はＳ３１６に進む。Ｓ３１５で、制御部１０５は、選択サムネイル画像の全画面表示を行い、Ｓ３１７に進んでマイクロインデックス表示を終了する。また、選択サムネイル画像に対応する画像データが動画像データの場合は、制御部１０５は、動画像データを再生する。
【００３９】
Ｓ３１６で、制御部１０５は、モード切替スイッチ２０６が操作されたか否かを判定する。モード切替スイッチが操作されたモードが切り替わった場合、本フローチャートの処理はＳ３１７に進んで終了する。そうでなければ、処理はＳ３０３に戻る。
【００４０】
以上説明したように、本実施形態によれば、デジタルカメラ１００は、マイクロインデックス表示の際にズームレバー２０４が操作されると、選択中のサムネイル画像の倍率を段階的に変更して表示する。これにより、複数のサムネイル画像を表示するインデックス画面（マルチインデックス）において、ユーザが選択したサムネイル画像の拡大率（倍率）を柔軟に変更することが可能となる。
【００４１】
なお、Ｓ３１１の処理、Ｓ３１３の処理は、シャッターボタンによる指示より行われるものとせず、他の操作部材による指示で行えるものとしてもよい。このようにすれば、シャッターボタンを、マイクロインデックス表示を終了して撮影モードに移行する指示を行うためのものとして割り当てることが可能である。
【００４２】
なお、制御部１０５の制御は１つのハードウェアが行ってもよいし、複数のハードウェアが処理を分担することで、デジタルカメラ１００全体の制御を行ってもよい。
【００４３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４４】
また、上述した実施形態においては、本発明をデジタルカメラに適用した場合を例にして説明したが、これはこの例に限定されない。即ち、本発明はパーソナルコンピュータやＰＤＡ、携帯電話端末や携帯型の画像ビューワ、プリンタ装置に設けられた印刷画像選択及び確認のためのディスプレイ、デジタルフォトフレームなど、複数の画像を同時に表示するように制御可能な表示制御装置であれば適用可能である。
【００４５】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011180288.tif 000003
【図２】
2011180288.tif 000004
【図３】
2011180288.tif 000005
【図４】
2011180288.tif 000006
【図５】
2011180288.tif 000007
【図６】
2011180288.tif 000008
【図７】
2011180288.tif 000009
【図８】
2011180288.tif 000010
【図９】
2011180288.tif 000011
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
複数の画像を表示手段にマルチ表示するように制御する表示制御手段と、
表示された前記複数の画像のうちの１つを選択する選択手段と、
前記選択手段で選択されている画像を、多段階の表示サイズのうちユーザーの操作に応じた表示サイズに変倍して表示するように制御する第１の変倍手段と、
前記第１の変倍手段で変倍した前記選択されている画像の表示サイズを、表示されている他の画像に適用する第１の指示を受け付ける第１の指示受付手段と、
前記第１の指示受付手段で前記第１の指示を受け付けたことに応じて、前記他の画像を前記第１の変倍手段で変倍された前記選択されている画像と同じ表示サイズに変倍して表示するように制御する第２の変倍手段と
を備えることを特徴とする表示制御装置。
【請求項２】
前記第１の変倍手段で変倍した前記選択されている画像の表示サイズを、他の画像を選択した際にも適用する第２の指示を受け付ける第２の指示受付手段と、
前記第２の指示受付手段で前記第２の指示を受け付けた後に前記選択手段によって選択する画像が切り替えられると、切り替え後に選択される画像も、切り替え前に選択されていた画像の表示サイズに変倍して表示するように制御し、前記第２の指示受付手段で前記第２の指示を受け付けずに前記選択手段によって選択する画像が切り替えられると、切り替え後に選択される画像の表示サイズは選択前の表示サイズから変倍しないように制御する第３の変倍手段と
を更に備えることを特徴とする請求項１に記載の表示制御装置。
【請求項３】
前記第１の指示及び前記第２の指示を行うための単一の操作部材を更に備えることを特徴とする請求項２に記載の表示制御装置。
【請求項４】
前記第２の指示受付手段は、前記単一の操作部材が第１の位置まで押下されると、前記第２の指示を受け付け、
前記第１の指示受付手段は、前記単一の操作部材が前記第１の位置よりも深く押下した位置である第２の位置まで押下されると前記第１の指示を受け付ける
ことを特徴とする請求項３に記載の表示制御装置。
【請求項５】
撮像手段を更に備え、
前記単一の操作部材は、撮影モードにおいては、前記第１の位置まで押下することでフォーカスを決定する指示を行い、前記第２の位置まで押下することで前記撮像手段で画像を撮影して記録する指示を行うシャッター操作部材である
ことを特徴とする請求項４に記載の表示制御装置。
【請求項６】
撮像手段と、
前記撮像手段での撮影に係る光学ズームの倍率を指示するズーム操作部材とを更に備え、
前記第１の変倍手段は、前記マルチ表示を行っている際に、前記選択手段で選択されている画像の表示サイズを前記ズーム操作部材に対して行われたユーザーの操作に応じて変倍する
ことを特徴とする請求項１乃至４のいずれか1項に記載の表示制御装置。
【請求項７】
表示制御装置の制御方法であって、
表示制御手段が、複数の画像を表示手段にマルチ表示するように制御する表示制御工程と、
選択手段が、表示された前記複数の画像のうちの１つを選択する選択工程と、
第１の変倍手段が、前記選択工程で選択されている画像を、多段階の表示サイズのうちユーザーの操作に応じた表示サイズに変倍して表示するように制御する第１の変倍工程と、
第１の指示受付手段が、前記第１の変倍工程で変倍した前記選択されている画像の表示サイズを、表示されている他の画像に適用する第１の指示を受け付ける第１の指示受付工程と、
第２の変倍手段が、前記第１の指示受付工程で前記第１の指示を受け付けたことに応じて、前記他の画像を前記第１の変倍工程で変倍された前記選択されている画像と同じ表示サイズに変倍して表示するように制御する第２の変倍工程と
を備えることを特徴とする制御方法。
【請求項８】
コンピュータに、請求項７に記載の制御方法の各工程を実行させるためのプログラム。
【請求項９】
請求項８に記載のプログラムを記録したコンピュータ読み取り可能な記録媒体。
【手続補正２】
【補正対象書類名】明細書
【補正対象項目名】０００９
【補正方法】変更
【補正の内容】
【０００９】
上記課題を解決するために、第１の本発明は、複数の画像を表示手段にマルチ表示するように制御する表示制御手段と、表示された前記複数の画像のうちの１つを選択する選択手段と、前記選択手段で選択されている画像を、多段階の表示サイズのうちユーザーの操作に応じた表示サイズに変倍して表示するように制御する第１の変倍手段と、前記第１の変倍手段で変倍した前記選択されている画像の表示サイズを、表示されている他の画像に適用する第１の指示を受け付ける第１の指示受付手段と、前記第１の指示受付手段で前記第１の指示を受け付けたことに応じて、前記他の画像を前記第１の変倍手段で変倍された前記選択されている画像と同じ表示サイズに変倍して表示するように制御する第２の変倍手段とを備えることを特徴とする表示制御装置を提供する。
【手続補正３】
【補正対象書類名】明細書
【補正対象項目名】００３１
【補正方法】変更
【補正の内容】
【００３１】
Ｓ３０５で、制御部１０５は、別のサムネイル画像を選択することにより、選択中のサムネイル画像を変更する。また、グラフィック処理部１１２は、新たに選択されたサムネイル画像にカーソルを重畳して表示する。例えば、図４に示すように、カーソルが位置４０１に存在する時に十字キー２０２の上が操作されると、カーソルは上に移動する。図４では、十字キー２０２の上が３回操作された場合を例示しており、この場合、カーソルは位置４０２へ移動する。また、表示部１０４は、新たに選択されたサムネイル画像を、ＲＡＭ１０６に記憶されたサイズ情報に対応する倍率で表示する。サイズ情報は、後述するＳ３１１の処理により初期値から変更されている可能性がある。図４では、全てのサムネイル画像が同じサイズで表示されているが、サイズ情報に対応する倍率が変更されている場合、選択サムネイル画像は他のサムネイル画像と異なるサイズで表示される。